(57)【要約】【課題】導水盤とフィルタ膜との水密効果を良好に保ち、簡便に組み立てることができる螺着式導水盤セットを提供する。【解決手段】螺着式導水盤セットは、フィルタ膜３０を挟持し、複数の導水盤１０及び複数の水密部材２０を備える。導水盤１０は、回動可能に重ねられ、盤状の本体１１と、軸方向に沿って本体に穿設された穿孔１２と、穿孔１２の環状壁面上に、軸方向に周設された複数の環設孔１３と、本体１１の一方の側盤面から外側に延伸され、環設孔１３の端部に対応するように設けられた複数の螺合部１４と、本体の他方の側盤面１１１から環設孔１３に向かって延伸された複数の組み合わせ部１５と、環設孔１３が周設され、本体１１の２つの側盤面１１１に内側に凹設された位置決め部１６とをそれぞれ有する。位置決め部１６には、本体１１の２つの側盤面１１１に穿設された少なくとも１つの連結孔を有する。【選択図】図１
2012232230.tif 000002
【特許請求の範囲】
【請求項１】
フィルタ膜を挟持し、複数の導水盤及び複数の水密部材を備える螺着式導水盤セットであって、
前記導水盤は、回動可能に重ねられ、盤状の本体と、軸方向に沿って前記本体に穿設された穿孔と、前記穿孔の環状壁面上に、軸方向に周設された複数の環設孔と、前記本体の一方の側盤面から外側に延伸され、前記環設孔の端部に対応するように設けられた複数の螺合部と、前記本体の他方の前記側盤面から前記環設孔に向かって延伸された複数の組み合わせ部と、前記環設孔が周設され、前記本体の２つの前記側盤面に内側に凹設された位置決め部と、をそれぞれ有し、
前記位置決め部には、前記本体の２つの前記側盤面に穿設された少なくとも１つの連結孔を有し、前記導水盤それぞれの前記螺合部は、隣接した他の前記導水盤の前記環設孔に貫設され、隣接した他の前記導水盤の前記螺合部に対応した開放位置と、隣接した他の前記導水盤の組み合わせ部に対応した係合位置との間で揺転し、
前記水密部材は、前記導水盤の前記位置決め部上にそれぞれ固設され、前記本体の２つの前記側盤面の当接部に対応するように、前記当接部間に配置され、前記連結孔内に延伸される接触部と、を有することを特徴とする螺着式導水盤セット。
【請求項２】
前記位置決め部には、前記本体の２つの前記側盤面に内側に凹設された２つの浅い環溝と、軸方向に対して垂直に周設され、前記本体の両側の前記浅い環溝と連通した前記連結孔と、を有し、互いに隣接した前記連結孔により嵌着リブが構成されていることを特徴とする請求項１に記載の螺着式導水盤セット。
【請求項３】
前記導水盤の前記位置決め部は、前記本体の径方向で外側に向かって延伸した切欠きを複数有することを特徴とする請求項１に記載の螺着式導水盤セット。
【請求項４】
前記水密部材は、前記導水盤の前記切欠きに対応した耳部を有することを特徴とする請求項３に記載の螺着式導水盤セット。
【請求項５】
前記水密部材は、熱可塑性ゴム、熱可塑性加硫ゴム又は熱可塑性エラストマーの熱可塑性材料からなることを特徴とする請求項１に記載の螺着式導水盤セット。
【請求項６】
前記導水盤の前記螺合部は、垂直に延設された垂直セクションと、前記垂直セクションに水平方向に延設された水平セクションと、前記垂直セクションと前記水平セクションとの接続箇所に設けられた内側に凹んだ係合縁と、を有し、
前記組み合わせ部は、先端縁に設けられた凸部を有し、互いに隣接した２つの前記導水盤が互いに係合位置に位置合わせされると、前記組み合わせ部が前記垂直セクションに係合され、内側に凹設された前記係合縁に前記凸部が嵌入されて係合されることを特徴とする請求項１に記載の螺着式導水盤セット。
【発明の詳細な説明】
【技術分野】
【０００１】
本発明は、フィルタ薄膜の挟持装置に関し、特に、フィルタ薄膜を挟持し、互いに重ねて用いる螺着式導水盤セットに関する。
【背景技術】
【０００２】
特許文献１に開示されているように、フィルタを緊密に挟持する挟持装置は、フィルタ膜の挟着に用いる１組の導水盤を含む。また、互いに隣接した導水盤同士は、回動可能に重ねられている。各導水盤は、本体と、軸方向に沿って本体に穿設された中央穿孔と、軸方向を中心とし、本体に等間隔に穿設された環設孔と、本体に凸出した複数の盤面であり、環設孔の端部に位置する複数の螺着部と、環設孔に対応するように、本体のもう一つの盤面に形成された複数の組み合わせ部と、穿孔孔壁に形成され、フィルタ膜に連通した複数の導水槽と、を含む。このように、導水盤の螺着部は、隣接した他の導水盤の環設孔に貫設され、２つの導水盤の盤面間に、フィルタ膜を重ねて配置する。続いて、組み立てる際、２つの導水盤を互いに反対方向に回転させ、導水盤の螺着部と隣接した他の導水盤の組み合わせ部とを嵌着させて螺着し、フィルタ膜を固定する。
【０００３】
また、導水盤セットが高い水密効果を得ることができるように、導水盤は、両側の盤面上に、環設孔の環槽が周設され、環槽上に配置されたＯ型ワッシャにより、互いに隣接した２つの導水盤の盤面でフィルタ膜を緊密に挟設し、フィルタ膜により濾過されない水が導水盤の中央部に設けた穿孔に直接滲入することを防ぎ、濾過効果を得る。
【０００４】
導水盤の盤面とフィルタ膜の膜面との間にワッシャを挟設することにより、水密防漏性を高めることができるが、ワッシャと導水盤とは単に貼り合わされた関係であり、固着状態ではない。また、導水盤は、互いに螺着させなければ組み立てることができない。そのため、ワッシャは、２種類の異なる方向に回転されて発生するねじり剪断力（そのうちの一つは時計回りであり、もう一つは逆時計回りである）を受ける。この２種類の剪断力の大きさは、導水盤、フィルタ膜との間に発生するワッシャの摩擦力に応じて決定される。当業者であれば分かるように、導水盤とフィルタ膜とは異なる材料からなるため、相対的に摩擦係数も異なり、大きさ、方向がそれぞれ異なる剪断力にワッシャは耐える必要がある上、これら２種類の異なる剪断力の作用により、導水盤の環槽からワッシャが外れたり、ねじれ変形が発生したりするため、フィルタ膜の膜面と導水盤の盤面との間に間隙が発生し、導水盤セットの水密効果が失われる虞がある。
【０００５】
また、導水盤の２つの盤面には、それぞれワッシャが取り付けられているが、垂直に組み立てると、導水盤の盤面の下向きの側部のワッシャが環槽から自然に外れることがあるため、導水盤を位置決めして組み立てることが非常に不便である。
【先行技術文献】
【特許文献】
【０００６】
【特許文献１】米国特許第７３９６４６２号明細書
【発明の概要】
【発明が解決しようとする課題】
【０００７】
本発明の目的は、導水盤とフィルタ膜との水密効果を良好に保ち、簡便に組立てることができる螺着式導水盤セットを提供することにある。
【課題を解決するための手段】
【０００８】
上記課題を解決するために、フィルタ膜を挟持し、複数の導水盤及び複数の水密部材を備える螺着式導水盤セットであって、前記導水盤は、回動可能に重ねられ、盤状の本体と、軸方向に沿って前記本体に穿設された穿孔と、前記穿孔の環状壁面上に、軸方向に周設された複数の環設孔と、前記本体の一方の側盤面から外側に延伸され、前記環設孔の端部に対応するように設けられた複数の螺合部と、前記本体の他方の前記側盤面から前記環設孔に向かって延伸された複数の組み合わせ部と、前記環設孔が周設され、前記本体の２つの前記側盤面に内側に凹設された位置決め部と、をそれぞれ有し、前記位置決め部には、前記本体の２つの前記側盤面に穿設された少なくとも１つの連結孔を有し、前記導水盤それぞれの前記螺合部は、隣接した他の前記導水盤の前記環設孔に貫設され、隣接した他の前記導水盤の前記螺合部に対応した開放位置と、隣接した他の前記導水盤の組み合わせ部に対応した係合位置との間で揺転し、前記水密部材は、前記導水盤の前記位置決め部上にそれぞれ固設され、前記本体の２つの前記側盤面の当接部に対応するように、前記当接部間に配置され、前記連結孔内に延伸される接触部と、を有することを特徴とする螺着式導水盤セットが提供される。
【０００９】
前記位置決め部には、前記本体の２つの前記側盤面に内側に凹設された２つの浅い環溝と、軸方向に対して垂直に周設され、前記本体の両側の前記浅い環溝と連通した前記連結孔と、を有し、互いに隣接した前記連結孔により嵌着リブが構成されていることが好ましい。
【００１０】
前記導水盤の前記位置決め部は、前記本体の径方向で外側に向かって延伸した切欠きを複数有することが好ましい。
【００１１】
前記水密部材は、前記導水盤の前記切欠きに対応した耳部を有することが好ましい。
【００１２】
前記水密部材は、熱可塑性ゴム、熱可塑性加硫ゴム又は熱可塑性エラストマーの熱可塑性材料からなることが好ましい。
【００１３】
前記導水盤の前記螺合部は、垂直に延設された垂直セクションと、前記垂直セクションに水平方向に延設された水平セクションと、前記垂直セクションと前記水平セクションとの接続箇所に設けられた内側に凹んだ係合縁と、を有し、前記組み合わせ部は、先端縁に設けられた凸部を有し、互いに隣接した２つの前記導水盤が互いに係合位置に位置合わせされると、前記組み合わせ部が前記垂直セクションに係合され、内側に凹設された前記係合縁に前記凸部が嵌入されて係合されることが好ましい。
【発明の効果】
【００１４】
本発明の螺着式導水盤セットは、以下（１）及び（２）の効果を有する。
（１）水密部材と導水盤とを螺着して結合することにより、２つの導水盤が回されて係合されたときに、導水盤の本体上の嵌着リブと切欠きとにより水密部材が制限されるため、引っ張ったり押したりしても導水盤の本体から外れず、導水盤の位置決め部上に水密部材を安定的に位置決めし、水密部材が外れたり、位置がずれたり、曲がったりすることを防ぐことができる。そのため、導水盤の２つの側盤面と、フィルタ膜の膜面との間に隙間が生じることを防ぎ、水の品質を確保することができる。
（２）各導水盤は、水密部材だけを組み合わせて使用する上、水密部材が導水盤上に位置決めされるため、垂直に位置決めして組み合わせる際、水密部材が導水盤から分離されることがない。そのため、迅速かつ確実に位置決めして組み立て、簡便に行うこともできる。
【図面の簡単な説明】
【００１５】
【図１】本発明の一実施形態による螺着式導水盤セットを示す分解斜視図である。
【図２】本発明の一実施形態による導水盤と水密部材とが結合されたときの状態を示す斜視図である。
【図３】本発明の一実施形態による２つの導水盤を互いに組み合わせ、開放位置にあるときの状態を示す平面図である。
【図４】本発明の一実施形態による２つの導水盤を互いに組み合わせ、係合位置にあるときの状態を示す平面図である。
【図５】本発明の一実施形態による互いに隣接した導水盤が係合したときの状態を示す断面図である。
【図６】本発明の一実施形態による導水盤の螺合部と、隣接した他の導水盤の組み合わせ部とを嵌合させたときの状態を示す部分拡大図である。
【図７】本発明の一実施形態による水密部材を示す部分拡大図である。
【発明を実施するための形態】
【００１６】
以下、本発明の実施形態について図に基づいて説明する。なお、これによって本発明が限定されるものではない。
【００１７】
図１を参照する。図１に示すように、本発明の一実施形態による螺着式導水盤セットは、少なくとも複数の導水盤１０及び複数の水密部材２０から構成される。
【００１８】
図１及び図２を参照する。図１及び図２に示すように、本実施形態の導水盤１０は、回動可能に互いに重ねられ、盤状の本体１１と、軸方向Ｘに沿って本体１１に穿設された穿孔１２と、穿孔１２の環状壁面１２１上に、軸方向Ｘに対して周設された３つの環設孔１３と、本体１１の一方の側盤面１１１から外側に延伸され、環設孔１３の端部に対応するように設けられた３つの螺合部１４と、本体１１の他方の側盤面１１２から環設孔１３に向かって延伸された３つの組み合わせ部１５と、環設孔１３が周設され、本体１１の２つの側盤面１１１，１１２の内側に凹設された位置決め部１６と、をそれぞれ含む。各導水盤１０の螺合部１４は、隣接した他の導水盤１０の環設孔１３中に貫設され、隣接した他の導水盤１０の螺合部１４に対応した開放位置（図３参照）と、隣接した他の導水盤１０の組み合わせ部１５に対応した係合位置（図４参照）との間で揺動する。本実施形態において、螺合部１４は、側盤面１１１に垂直に延設された垂直セクション１４１と、垂直セクション１４１に水平方向に延設された水平セクション１４２と、垂直セクション１４１と水平セクション１４２との接続箇所に設けられた内側に凹んだ係合縁１４３と、を有する。組み合わせ部１５は、螺合部１４の形状に対応するように逆Ｌ字状に形成され、先端縁に設けられた凸部１５１を有する。
【００１９】
また、図２及び図７に示すように、位置決め部１６には、本体１１の２つの側盤面１１１，１１２から内側に凹設された２つの浅い環溝１６１と、軸方向Ｘに対して垂直に周設され、浅い環溝１６１に連通した複数の連結孔１６２と、を有し、互いに隣接した連結孔１６２により嵌着リブ１６３が構成されている。本実施形態の位置決め部１６は、本体１１の浅い環溝１６１に沿って、径方向で外側に向かって延伸した複数の切欠き１６４を有する。
【００２０】
前述の水密部材２０は、例えば、熱可塑性ゴム（Ｔｈｅｒｍｏｐｌａｓｔｉｃ  Ｒｕｂｂｅｒ：ＴＰＲ）、熱可塑性加硫ゴム（Ｔｈｅｒｍｏｐｌａｓｔｉｃ  Ｖｕｌｃａｎｉｚａｔｅ：ＴＰＶ）、熱可塑性エラストマー（Ｔｈｅｒｍｏｐｌａｓｔｉｃ  Ｅｌａｓｔｏｍｅｒ：ＴＰＥ）などの自己潤滑性材料からなり、導水盤１０の位置決め部１６上にそれぞれ固設されている。本実施形態では、射出成形方式により、導水盤１０の位置決め部１６上に水密部材２０を嵌設させ、水密部材２０と導水盤１０とを係合させて一体成形する。各水密部材２０は、浅い環溝１６１に対応した２つの当接部２１，２２と、当接部２１，２２の間に配置され、連結孔１６２内に延設された複数の接触部２３と、切欠き１６４内まで対応するように延伸された複数の耳部２４と、を有する。前述の当接部２１，２２及び接触部２３は、完全に嵌固され、導水盤１０上の嵌着リブ１６３を覆い、導水盤１０の位置決め部１６から水密部材２０が外れることがない上、水密部材２０が有する潤滑性により、導水盤１０を回動させる際に発生する摩擦抵抗力を下げることができる。
【００２１】
ここで、前述の水密部材２０の当接部２１，２２は、導水盤１０の２つの側盤面１１１，１１２から突出され、導水盤１０とフィルタ膜３０の膜面とを密着させ、水漏れを防止することができる（但し、フィルタ膜の水発生側には水を通すことができる）。
【００２２】
図１及び図３に示すように、本実施形態の螺着式導水盤セットを組み立てる際、まず、各導水盤１０間にフィルタ膜３０を配置した後（以下では、説明の便宜上、他の導水盤のと、その導水盤の各部位を表す符号に「’」を加えて記載する）、隣接した他の導水盤１０’の環設孔１３’中に、導水盤１０の螺合部１４が貫設されると、導水盤１０の螺合部１４が、隣接した他の導水盤１０’の螺合部１４’の開放位置に位置合わせした後、時計回りに導水盤１０を回転させる。図４に示すように、互いに隣接した２つの導水盤１０，１０’が係合位置に位置すると、導水盤１０’の組み合わせ部１５’に、導水盤１０の垂直セクション１４１が係合され、係合縁１４３に凸部１５１’を嵌入させて（図５及び図６参照）係合し、２つの導水盤１０，１０’を螺着させて一体にすることにより、導水盤１０，１０’の外縁の水密部材２０の当接部２１，２２により、フィルタ膜３０が緊密に圧迫され、良好な水密効果を得ることができる。
【００２３】
上述したことから分かるように、本発明の螺着式導水盤セットは、以下（１）及び（２）の長所を有する。
（１）水密部材２０と導水盤１０とを螺着して結合させることにより、２つの導水盤１０，１０’が回されて係合されると、導水盤１０の本体１１上の嵌着リブ１６３と切欠き１６４とにより水密部材２０が制限されるため、引っ張ったり押したりしても導水盤１０の本体１１から外れず、導水盤１０の位置決め部１６上に水密部材２０を安定的に位置決めし、水密部材２０が外れたり、位置がずれたり、曲がったりすることを防ぐことができる。そのため、導水盤１０の２つの側盤面１１１，１１２と、フィルタ膜３０の膜面との間に隙間が生じることを防ぎ、水の品質を確保することができる。
（２）各導水盤１０は、水密部材２０だけを組み合わせて使用する上、水密部材２０が導水盤１０上に位置決めされるため、垂直方向で位置決めして組み合わせる際、水密部材２０が導水盤１０から分離されることがない。そのため、迅速かつ確実に位置決めを行い、簡便に組み立てることもできる。
【００２４】
また、導水盤１０の中央部に設けられた穿孔１２は、環設孔１３と直接に連通されているため、導水盤１０全体の重量を減らすことができる。
【００２５】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００２６】
１０  導水盤
１１  本体
１２  穿孔
１３  環設孔
１４  螺合部
１５  組み合わせ部
１６  位置決め部
２０  水密部材
２１  当接部
２２  当接部
２３  接触部
２４  耳部
３０  フィルタ膜
１１１  側盤面
１１２  側盤面
１２１  環状壁面
１４１  垂直セクション
１４２  水平セクション
１４３  係合縁
１５１  凸部
１６１  浅い環溝
１６２  連結孔
１６３  嵌着リブ
１６４  切欠き
【図１】
2012232230.tif 000003
【図２】
2012232230.tif 000004
【図３】
2012232230.tif 000005
【図４】
2012232230.tif 000006
【図５】
2012232230.tif 000007
【図６】
2012232230.tif 000008
【図７】
2012232230.tif 000009